(57)【特許請求の範囲】
【請求項１】
多画面表示モードにおいて表示されるＮ個（Ｎ≧２）のコンテンツを再生するコンテンツ再生手段を備えたコンテンツ再生装置であって、
前記コンテンツ再生手段は、前記多画面表示モードから１画面表示モードに遷移するときに、前記多画面表示モードにおいて表示される前記Ｎ個のコンテンツのうち、前記１画面表示モードにおいて表示される１個のコンテンツを除くＮ−１個のコンテンツの再生を停止し、前記１画面表示モードから前記多画面表示モードに復帰するときに、前記Ｎ−１個のコンテンツの再生を前記遷移の際に停止した位置から再開し、
前記Ｎ−１個のコンテンツが、前記遷移の際に停止されたコンテンツであることを示すタイムシフト情報を、当該Ｎ−１個のコンテンツにそれぞれ付与する情報付与手段を更に備え、
前記コンテンツ再生手段は、前記復帰の際に、前記情報付与手段によって前記タイムシフト情報がそれぞれ付与された前記Ｎ−１個のコンテンツを再生し、
前記タイムシフト情報は、前記コンテンツ再生手段によって再生されたコンテンツが、前記遷移の際に停止しなかった場合に現時点で再生される位置からどのくらい前かを示すプログレスバーであることを特徴とするコンテンツ再生装置。
【請求項２】
前記Ｎ−１個のコンテンツのそれぞれに対し、再生スピードを設定する設定手段を更に備え、
前記コンテンツ再生手段は、前記Ｎ−１個のコンテンツのうち、前記設定手段によって通常再生よりも高速に設定された再生スピードで再生されたコンテンツの再生位置が、当該コンテンツが前記遷移の際に停止しなかった場合における現時点での再生位置と同じ位置になったとき、当該コンテンツを前記遷移の際に停止しなかった場合の状態で再生するように構成されていることを特徴とする請求項１に記載のコンテンツ再生装置。
【請求項３】
前記コンテンツ再生手段は、前記Ｎ−１個のコンテンツのうち、ユーザから指定されたコンテンツに対し、前記遷移の際に停止しなかった場合おける現時点での再生位置から再生する旨の指示を受け付けると、当該コンテンツを前記遷移の際に停止しなかった場合の状態で再生するように構成されていることを特徴とする請求項１または２に記載のコンテンツ再生装置。
【請求項４】
前記Ｎ−１個のコンテンツを前記遷移の際に停止した位置から記録媒体に記録する記録制御手段を更に備え、
前記コンテンツ再生手段は、前記復帰の際に、前記Ｎ−１個のコンテンツを前記記録媒体から読み出して再生することを特徴とする請求項１から３の何れか１項に記載のコンテンツ再生装置。
【請求項５】
前記記録媒体は、前記Ｎ個のコンテンツに対し夫々備えられており、
前記記録制御手段は、前記１画面表示モードにおいて表示される１個のコンテンツに対応する記録媒体に、前記Ｎ−１個のコンテンツを記録するよう制御することを特徴とする請求項４に記載のコンテンツ再生装置。
【請求項６】
請求項１〜５の何れか１項に記載のコンテンツ再生装置を備えることを特徴とするテレビジョン受像機。
【請求項７】
多画面表示モードにおいて表示されるＮ個（Ｎ≧２）のコンテンツを再生するコンテンツ再生工程を含んだコンテンツ再生方法であって、
前記コンテンツ再生工程において、前記多画面表示モードから１画面表示モードに遷移するときに、前記多画面表示モードにおいて表示される前記Ｎ個のコンテンツのうち、前記１画面表示モードにおいて表示される１個のコンテンツを除くＮ−１個のコンテンツの再生を停止し、前記１画面表示モードから前記多画面表示モードに復帰するときに、前記Ｎ−１個のコンテンツの再生を前記遷移の際に停止した位置から再開し、
前記Ｎ−１個のコンテンツが、前記遷移の際に停止されたコンテンツであることを示すタイムシフト情報を、当該Ｎ−１個のコンテンツにそれぞれ付与する情報付与工程を更に含み、
前記コンテンツ再生工程では、前記復帰の際に、前記情報付与工程において前記タイムシフト情報がそれぞれ付与された前記Ｎ−１個のコンテンツを再生し、
前記タイムシフト情報は、前記コンテンツ再生工程によって再生されたコンテンツが、前記遷移の際に停止しなかった場合に現時点で再生される位置からどのくらい前かを示すプログレスバーであることを特徴とするコンテンツ再生方法。
【請求項８】
請求項１から５のいずれか１項に記載のコンテンツ再生装置としてコンピュータを動作させるプログラムであって、コンピュータを前記各手段として機能させるためのプログラム。
【請求項９】
請求項８に記載のプログラムが記録されているコンピュータ読み取り可能な記録媒体。
【発明の詳細な説明】
【技術分野】
【０００１】
本発明は、複数のコンテンツを再生するコンテンツ再生装置に関する。また、本発明は、このようなコンテンツ再生装置を備えたテレビジョン受像機、このようなコンテンツ再生装置のコンテンツ再生方法に関する。
【背景技術】
【０００２】
近年、表示領域を分割し、分割した複数の表示領域のそれぞれで時間経過に伴って変化する複数のフレームから構成されるコンテンツを同時に再生（表示）することができるテレビジョン受像機（テレビ）が開発されている。このようなテレビは、上記のように複数の表示領域のそれぞれでコンテンツを同時に表示（多画面表示）し、また、ある１個のコンテンツを表示（１画面表示）することができる。
【０００３】
なお、１フレーム中に、互いの時間差が変動する複数のフレームを同時表示させる方法が特許文献１に記載されている。
【先行技術文献】
【特許文献】
【０００４】
【特許文献１】特開２００６−５０３９５号公報（２００６年２月１６日公開）
【発明の概要】
【発明が解決しようとする課題】
【０００５】
多画面表示した状態（多画面表示モード）から当該多画面表示モードにおいて表示した複数のコンテンツのうち１個のコンテンツを１画面表示した状態（１画面表示モード）へ変化させると、上記１個のコンテンツ以外のコンテンツは、テレビに表示されない。その後、多画面表示モードに復帰した際、ユーザは、１画面表示されなかったコンテンツの１画面表示モードに遷移した位置から多画面表示モードに復帰した位置までを、見ることができないという問題があった。
【０００６】
これを、図面を用いて説明する。図８は、テレビに表示されたコンテンツの時間軸上の位置の遷移を示す図であり、同図（ａ）は、テレビに表示された複数のコンテンツの時間に対するフレームの遷移の一例を示し、同図（ｂ）は、テレビに表示された複数のコンテンツのそれぞれに対し、時間に対するフレームの遷移を示している。
【０００７】
ここで、コンテンツの位置とは、コンテンツの時間軸上の位置を示している。つまり、コンテンツの位置とは、コンテンツを構成する複数のフレームであって、時間経過に伴って変化するフレームのうち、表示装置１００に表示されたフレームの当該コンテンツ内の時間軸上の位置である。
【０００８】
図８の（ａ）に示すように、表示装置１００の表示領域は４分割されており、左上段の表示領域（表示領域Ａ）にはコンテンツＡが表示（再生）され、右上段の表示領域（表示領域Ｂ）にはコンテンツＢが表示され、左下段の表示領域（表示領域Ｃ）にはコンテンツＣが表示され、右下段の表示領域（表示領域Ｄ）にはコンテンツＤが表示されている（画面ａ）。ここで、コンテンツＡを表示領域全体に表示（１画面表示）するように、ユーザ等によって指示されると、表示装置１００には、コンテンツＡのみが表示される（画面ｂ）。
【０００９】
ここで、図８の（ｂ）に示すように、図８の（ａ）の画面ａに示したコンテンツＡ〜Ｄは、時間の経過と共にコンテンツの位置が変化する。つまり、表示装置１００に表示される映像（フレーム）が変化している。時刻ｔがｔ１からｔ４に進んだとき、例えば、コンテンツＡは、サッカー選手が表示されたフレームからマラソン選手が表示されたフレームへ変化し、コンテンツＣは、時計が表示されたフレームから複数のパンが表示されたフレームに変化している。
【００１０】
このように、時間の経過に伴い表示装置１００に表示される各コンテンツの位置は、変化する。そのため、テレビ１に表示されたコンテンツＡが、サッカー選手が表示されたフレームからマラソン選手が表示されたフレームへ遷移し（画面ｃ）、その後（ｔ＝ｔ４のとき）、コンテンツＡ〜Ｄを表示（多画面表示）するようにユーザ等によって指示されると、テレビ１には、図８の（ｂ）のｔ＝ｔ４の時点の各コンテンツのフレームが表示される（画面ｄ）。
【００１１】
このとき、コンテンツＡは連続して再生されているが、コンテンツＢ〜Ｄは、ｔ１〜ｔ４の間のフレームが表示（再生）されない。そのため、ユーザは、コンテンツＢ〜Ｄのｔ１〜ｔ４の間のフレームを見逃してしまう。
【００１２】
本発明は上記問題に鑑みてなされたものであり、その目的は、多画面表示モードから１画面表示モードへの遷移に伴うコンテンツの見逃しを防止するコンテンツ再生装置を提供することにある。
【課題を解決するための手段】
【００１３】
上記の課題を解決するために、本発明におけるコンテンツ再生装置は、多画面表示モードにおいて表示されるＮ個（Ｎ≧２）のコンテンツを再生するコンテンツ再生手段を備えたコンテンツ再生装置であって、前記コンテンツ再生手段は、前記多画面表示モードから１画面表示モードに遷移するときに、前記多画面表示モードにおいて表示される前記Ｎ個のコンテンツのうち、前記１画面表示モードにおいて表示される１個のコンテンツを除くＮ−１個のコンテンツの再生を停止し、前記１画面表示モードから前記多画面表示モードに復帰するときに、前記Ｎ−１個のコンテンツの再生を前記遷移の際に停止した位置から再開する、ことを特徴としている。
【００１４】
前記１画面表示モードにおいて、１画面表示された１個のコンテンツ以外のＮ−１個のコンテンツは表示されない。そのため、前記１画面表示モードに遷移した後も、前記Ｎ−１個のコンテンツが再生され続けたとき、前記１画面表示モードの間、ユーザは、当該Ｎ−１個のコンテンツを見ることができない。
【００１５】
しかし、上記構成によれば、コンテンツ再生装置は、多画面表示モードから１画面表示モードに遷移した際、１画面表示されないコンテンツ（前記Ｎ−１個のコンテンツ）の再生を停止する。その後、コンテンツ再生装置は、１画面表示モードから多画面表示モードに復帰した際、前記Ｎ−１個のコンテンツを、当該コンテンツの再生を停止した位置から夫々再生する。
【００１６】
これにより、ユーザは、１画面表示されないコンテンツ（前記Ｎ−１個のコンテンツ）に対し、１画面表示モードの間に再生されてしまう部分を、多画面表示モードに復帰した後に見ることができる。これにより、コンテンツの見逃しを防止することができるといった効果を奏する。
【００１７】
また、本発明におけるコンテンツ再生装置は、前記Ｎ−１個のコンテンツが、前記遷移の際に停止されたコンテンツであることを示すタイムシフト情報を、当該Ｎ−１個のコンテンツにそれぞれ付与する情報付与手段を更に備え、前記コンテンツ再生手段は、前記復帰の際に、前記情報付与手段によって前記タイムシフト情報がそれぞれ付与された前記Ｎ−１個のコンテンツを再生することが好ましい。なお、前記タイムシフト情報は、前記コンテンツ再生手段によって再生されたコンテンツが、前記遷移の際に停止しなかった場合に現時点で再生される位置からどのくらい前かを示すプログレスバーまたは時間情報であってもよいし、前記コンテンツ再生手段によって再生されたコンテンツが前記遷移の際に停止しなかった場合に、現時点で表示される画面であってもよい。
【００１８】
これにより、ユーザは前記Ｎ−１個のコンテンツが、前記遷移の際に停止されたコンテンツであることを容易に把握することができる。
【００１９】
また、本発明におけるコンテンツ再生装置は、前記Ｎ−１個のコンテンツのそれぞれに対し、再生スピードを設定する設定手段を更に備え、前記コンテンツ再生手段は、前記Ｎ−１個のコンテンツのうち、前記設定手段によって通常再生よりも高速に設定された再生スピードで再生されたコンテンツの再生位置が、当該コンテンツが前記遷移の際に停止しなかった場合における現時点での再生位置と同じ位置になったとき、当該コンテンツを前記遷移の際に停止しなかった場合の状態で再生するように構成されていることが好ましい。
【００２０】
上記構成によれば、ユーザは前記Ｎ−１個のコンテンツをユーザの好みの速度で視聴することができる。また、上記構成によれば、コンテンツ再生装置は、速くなるように設定された再生スピードで再生されたコンテンツが、当該コンテンツを停止せずに再生させた状態に追いついたとき、自動的に、停止せずに再生させたコンテンツを表示することができる。
【００２１】
また、本発明におけるコンテンツ再生装置の前記コンテンツ再生手段は、前記Ｎ−１個のコンテンツのうち、ユーザから指定されたコンテンツに対し、前記遷移の際に停止しなかった場合おける現時点での再生位置から再生する旨の指示を受け付けると、当該コンテンツを前記遷移の際に停止しなかった場合の状態で再生するように構成されていてもよい。
【００２２】
上記構成によれば、コンテンツ再生装置は、前記Ｎ−１個のコンテンツを、ユーザの好みのタイミングで、当該Ｎ−１個のコンテンツを停止せずに再生させた状態で表示することができる。
【００２３】
また、本発明におけるコンテンツ再生装置は、前記Ｎ−１個のコンテンツを前記遷移の際に停止した位置から記録媒体に記録する記録制御手段を更に備え、前記コンテンツ再生手段は、前記復帰の際に、前記Ｎ−１個のコンテンツを前記記録媒体から読み出して再生することが好ましい。
【００２４】
上記構成によれば、コンテンツ再生装置は、１画面表示モードから多画面表示モードに復帰した際、前記Ｎ−１個のコンテンツを、前記記録媒体から読み出すことにより、当該コンテンツの再生を停止した位置から再生する。
【００２５】
したがって、より好適にユーザによるコンテンツの見逃しを防止することができる。
【００２６】
また、本発明におけるコンテンツ再生装置の前記記録媒体は、前記Ｎ個のコンテンツに対し夫々備えられており、前記記録制御手段は、前記１画面表示モードにおいて表示される１個のコンテンツに対応する記録媒体に、前記Ｎ−１個のコンテンツを記録するよう制御するものであってもよい。
【００２７】
上記構成によれば、前記Ｎ−１個のコンテンツは、当該Ｎ−１個のコンテンツの夫々に対応する記録媒体と、前記１個のコンテンツに対応する記録媒体とに記録することができる。よって、コンテンツ再生装置は、前記Ｎ−１個のコンテンツを記録する領域を動的に確保することができる。
【００２８】
上記の課題を解決するために、本発明におけるコンテンツ再生方法は、多画面表示モードにおいて表示されるＮ個（Ｎ≧２）のコンテンツを再生するコンテンツ再生工程を含んだコンテンツ再生方法であって、前記コンテンツ再生工程において、前記多画面表示モードから１画面表示モードに遷移するときに、前記多画面表示モードにおいて表示される前記Ｎ個のコンテンツのうち、前記１画面表示モードにおいて表示される１個のコンテンツを除くＮ−１個のコンテンツの再生を停止し、前記１画面表示モードから前記多画面表示モードに復帰するときに、前記Ｎ−１個のコンテンツの再生を前記遷移の際に停止した位置から再開する、ことを特徴としている。
【００２９】
上記の構成によれば、本発明に係るコンテンツ再生装置と同様の効果を奏する。
【００３０】
なお、上記コンテンツ再生装置を備えたテレビジョン受像機も本発明の範疇に含まれる。
【００３１】
また、本発明に係るコンテンツ再生装置としてコンピュータを動作させるプログラムであって、コンピュータを上記の各手段として機能させることを特徴とするプログラム、および、そのようなプログラムを記録した、コンピュータが読み取り可能な記録媒体も本発明の範疇に含まれる。
【発明の効果】
【００３２】
本発明におけるコンテンツ再生装置は、多画面表示モードにおいて表示されるＮ個（Ｎ≧２）のコンテンツを再生するコンテンツ再生手段を備えたコンテンツ再生装置であって、前記コンテンツ再生手段は、前記多画面表示モードから１画面表示モードに遷移するときに、前記多画面表示モードにおいて表示される前記Ｎ個のコンテンツのうち、前記１画面表示モードにおいて表示される１個のコンテンツを除くＮ−１個のコンテンツの再生を停止し、前記１画面表示モードから前記多画面表示モードに復帰するときに、前記Ｎ−１個のコンテンツの再生を前記遷移の際に停止した位置から再開する、ことを特徴としている。
【００３３】
これにより、コンテンツの見逃しを防止することができるといった効果を奏する。
【図面の簡単な説明】
【００３４】
【図１】本発明の一実施形態に係るテレビ（テレビジョン受像機）の構成を示すブロック図である。
【図２】多画面表示モードから１画面表示モードに遷移した際のテレビにおける表示処理の流れを示すフローチャートである。
【図３】１画面表示モードから多画面表示モードに遷移した際のテレビにおける表示処理の流れを示すフローチャートである。
【図４】テレビに表示されたコンテンツのフレームの遷移の一例を示す図である。
【図５】コンテンツを録画した際の各メモリの状態を示す図であり、同図（ａ）は多画面表示モードの初期状態のときの各メモリの記録状態を示し、同図（ｂ）は、多画面表示モードから１画面表示モードに遷移した後の各メモリの記録状態を示している。
【図６】テレビに表示されたコンテンツのフレームの遷移の他の例を示す図である。
【図７】図６の画面ｄの各表示領域を拡大した図であって、同図（ａ）は、表示領域Ｂを示し、同図（ｂ）は、表示領域Ｃを示し、同図（ｃ）は、表示領域Ｄを示している。
【図８】テレビに表示されたコンテンツの時間軸上の位置の遷移を示す図であり、同図（ａ）は、テレビに表示された複数のコンテンツの時間に対するフレームの遷移の一例を示し、同図（ｂ）は、テレビに表示された複数のコンテンツのそれぞれに対し、時間に対するフレームの遷移を示している。
【図９】図１におけるテレビのセレクタの構成を示すブロック図である。
【図１０】セレクタから出力されたコンテンツに対し、通常録画時と、ＳＴＢ２の録画時間を拡大して録画した時において、ＦＭ１が記録するコンテンツを示した図である。
【発明を実施するための形態】
【００３５】
以下、本発明の実施の形態について、詳細に説明する。
【００３６】
（テレビ１の概略）
まず、図１を参照して本発明に係るテレビジョン受像機（以下「テレビ」と略記）１の概略を説明する。図１は、本実施形態におけるテレビ（コンテンツ再生装置）１の構成を示すブロック図である。図１に示すように、テレビ１は、セットトップボックス１１〜１４（ＳＴＢ１〜４）、セレクタ２１〜２４（ＭＵＸ１〜４）、セレクタ２５（ＭＵＸ５）、セレクタ２６（ＭＵＸ６）、メモリコントローラ（記録制御手段）３１〜３４（ＭＥＭＯＲＹ  ＣＯＮＴＲＯＬＬＥＲ１〜４）、メモリ（記録媒体）４１〜４４（ＦＭ１〜４）、スケーラ５１（ＳＣＡＬＥＲ）、ミキサ（情報付与手段）５２（ＭＩＸ）、ＣＰＵ（コンテンツ再生手段、情報付与手段、設定手段）５３および表示装置１００を備えている。
【００３７】
セットトップボックス１１（ＳＴＢ１）には、地上デジタル放送およびＢＳ放送を受信するチューナが内蔵されている。ＳＴＢ１は、ＳＴＢ１のチューナで受信したコンテンツをセレクタ２１〜２４に供給する。セットトップボックス１２〜１４（ＳＴＢ２〜４）の各々は、ＳＴＢ１と同様の構成であるため、説明を省略する。
【００３８】
なお、セットトップボックス１１〜１４は、テレビ１と一体とした構成であってもよいし、テレビ１と別個の構成であってもよい。
【００３９】
セレクタ２１（ＭＵＸ１）は、ＣＰＵ５３からの指示に従い、ＳＴＢ１〜４からそれぞれ供給された複数の映像信号のうち、何れかを選択する。セレクタ２１は、選択した映像信号を、メモリコントローラ３１（ＭＥＭＯＲＹ  ＣＯＮＴＲＯＬＬＥＲ１）に供給する。同様に、セレクタ２２は、選択した映像信号をメモリコントローラ３２に供給し、セレクタ２３は、選択した映像信号をメモリコントローラ３３に供給し、セレクタ２４は、選択した映像信号をメモリコントローラ３４に供給する。
【００４０】
メモリコントローラ３１は、メモリ４１（ＦＭ１）を制御する。具体的には、メモリコントローラ３１は、ＣＰＵ５３からの指示に従い、セレクタ２１から供給された映像信号をメモリ４１（ＦＭ１）に格納する。また、メモリコントローラ３１は、ＣＰＵ５３からの指示に従い、メモリ４１から取得した映像信号、または、セレクタ２１から供給された映像信号を、セレクタ２５およびミキサ５２に出力する。同様に、メモリコントローラ３２（ＭＥＭＯＲＹ  ＣＯＮＴＲＯＬＬＥＲ２）はメモリ４２を管理し、メモリコントローラ３３（ＭＥＭＯＲＹ  ＣＯＮＴＲＯＬＬＥＲ３）はメモリ４３を管理し、メモリコントローラ３４（ＭＥＭＯＲＹ  ＣＯＮＴＲＯＬＬＥＲ４）はメモリ４４を管理する。
【００４１】
メモリ４１〜４４（ＦＭ１〜４）の各々は、メモリコントローラ３１〜３４からそれぞれ供給された映像信号を記録するものである。本実施形態では、メモリ４１〜４４は、映像信号を一時的に記録するバッファ（フレームメモリ）として説明を行うが、メモリ４１〜４４はこれに限定されない。メモリ４１〜４４は、ＨＤＤ等の大容量メモリであってもよい。また、メモリ４１〜４４は、テレビ１と一体とした構成であってもよいし、テレビ１と別個の構成であってもよい。
【００４２】
セレクタ２５（ＭＵＸ５）は、ＣＰＵ５３からの指示に従い、メモリコントローラ３１〜３４から供給された複数の映像信号のうち、何れかを選択する。セレクタ２５は、選択した映像信号を、スケーラ５１に供給する。
【００４３】
スケーラ５１（ＳＣＡＬＥＲ）は、表示装置１００の表示領域全体のサイズ（１画面分のサイズ）にセレクタ２５から供給された映像信号を拡大した信号を生成する。スケーラ５１は、生成した信号（映像信号）をセレクタ２６に供給する。
【００４４】
ミキサ５２（ＭＩＸ）は、メモリコントローラ３１〜３４のそれぞれから供給された複数の映像信号の各々を、表示装置１００の予め定められた表示領域に表示するように合成した信号を生成する。ミキサ５２は、生成した信号（映像信号）を、セレクタ２６（ＭＵＸ６）に供給する。
【００４５】
セレクタ２６は、ＣＰＵ５３からの指示に従い、スケーラ５１から供給された映像信号またはミキサ５２から供給された映像信号の何れかを選択する。セレクタ２６は選択した映像信号を表示装置１００に供給する。
【００４６】
表示装置１００は、セレクタ２６から供給された映像信号に基づいて、コンテンツを表示（再生）する。具体的には、セレクタ２６から供給された映像信号がスケーラ５１にて生成された映像信号である場合、表示装置１００の表示領域全体に、１個のＳＴＢが受信したコンテンツを再生する。また、セレクタ２６から供給された映像信号がミキサ５２にて生成された映像信号である場合、表示装置１００の表示領域を分割し、分割した表示領域のそれぞれで、各ＳＴＢが受信したコンテンツを再生する。
【００４７】
例えば、図１に示すように、表示装置１００の表示領域をＳＴＢの数（本実施形態においては４つ）に分割し、分割した表示領域のうち、左上段の表示領域を表示領域Ａ、右上段の表示領域を表示領域Ｂ、左下段の表示領域を表示領域Ｃ、右下段の表示領域を表示領域Ｄとする。このとき、表示装置１００は、表示領域ＡでＳＴＢ１が受信したコンテンツ（コンテンツＡ）を再生し、表示領域ＢでＳＴＢ２が受信したコンテンツ（コンテンツＢ）を再生し、表示領域ＣでＳＴＢ３が受信したコンテンツ（コンテンツＣ）を再生し、表示領域ＤでＳＴＢ４が受信したコンテンツ（コンテンツＤ）を再生する。
【００４８】
なお、各コンテンツを再生する表示領域は、これに限定されない。例えば、テレビ１は、コンテンツＡを、表示領域Ａ〜Ｄのうち何れかの表示領域で再生することができる。
【００４９】
なお、表示装置１００は、テレビ１と一体とした構成であってもよいし、テレビ１と別個の構成であってもよい。
【００５０】
ＣＰＵ５３は、テレビ１における処理全般を制御する。また、ＣＰＵ５３は、１画面表示モードにおいて表示される１個のコンテンツの再生、および、多画面表示モードにおいて表示される４個のコンテンツの再生を行うようテレビ１の各部を制御する。具体的には、ＣＰＵ５３は、セレクタ２１〜２４に対し、何れかのＳＴＢから供給された映像信号を選択するよう指示する。また、ＣＰＵ５３は、メモリコントローラ３１〜３４に対し、それぞれ対応するメモリ（メモリ４１〜４４）から取得した映像信号および／またはそれぞれ対応するセレクタ（セレクタ２１〜２４）から供給された映像信号を、セレクタ２５およびミキサ５２に出力するよう指示する。また、ＣＰＵ５３は、セレクタ２５に対し、何れかのメモリコントローラから供給された映像信号を選択するよう指示する。また、ＣＰＵ５３は、セレクタ２６に対し、スケーラ５１およびミキサ５２から供給された映像信号のうち、どちらの映像信号を選択するかを指示する。
【００５１】
また、ＣＰＵ５３は、図示しないリモコン等によるユーザからの指示に従い、テレビ１の各部を制御する。具体的には、ユーザからの指示が、ユーザによって選択されたコンテンツを表示装置１００の表示領域全体に表示（１画面表示）する旨の指示である場合、テレビ１の各部に対し、ユーザによって選択されたコンテンツを１画面に表示する（１画面表示モード）よう指示する。また、ユーザからの指示が、複数のコンテンツを、表示装置１００の複数に分割された各表示領域のそれぞれに表示（多画面表示）する旨の指示である場合、テレビ１の各部に対し、複数のコンテンツの各々を複数に分割された表示領域にそれぞれ表示する（多画面表示モード）よう指示する。
【００５２】
また、ＣＰＵ５３は、選択されたコンテンツが１画面表示されている際、ユーザからの指示に従い、他のコンテンツを録画するか否かの設定（タイムシフト設定）を行う。なお、タイムシフト設定のＯＮ／ＯＦＦは、例えば、画質、音量などを設定するメニュー画面（ユーザメニュー）にて設定することができる。
【００５３】
なお、本実施形態において、ＳＴＢ、ＳＴＢが信号を供給するセレクタ、メモリコントローラおよびメモリは、それぞれ４つであることを例に説明を行ったが、これに限定されず、任意の数であってもよい。また、表示装置１００の表示領域は４つに分割されることを例に説明を行ったが、これに限定されず、当該表示領域は、ＳＴＢの数より少ない数に分割することができる。
【００５４】
（テレビ１の処理の流れ）
次に、テレビ１における表示処理の流れについて、図２から図４を参照して説明する。図２は、多画面表示モードから１画面表示モードに遷移した際のテレビ１における表示処理の流れを示すフローチャートである。また、図４は、テレビ１の表示装置１００に表示されたコンテンツのフレームの遷移の一例を示す図である。
【００５５】
なお、図２においては、表示領域全体に表示（１画面表示）するコンテンツは、ＳＴＢ１にて受信したコンテンツ（コンテンツＡ）であることを例に説明を行うが、１画面表示可能なコンテンツは、ＳＴＢ１〜４のうち何れのＳＴＢが受信したコンテンツであってもよい。また、１画面表示する（１画面表示モードに遷移する）旨の指示は、リモコン等に備えられた「１画面表示」ボタンの押下によって、実現するとするが、本発明はこれに限定されない。例えば、表示装置１００のユーザメニューの設定（例えば、１画面表示と多画面表示とを自動的に切り換えるか否かを設定するための、１画面−多画面自動切換えＯＮ／ＯＦＦ設定）によって、一定時間ごとに１画面表示と多画面表示とを切り換えることにより実現してもよい。
【００５６】
また、図２においては、図４の画面ａに示すように、表示装置１００の表示領域が４つに分割されており、分割された表示領域（表示領域Ａ〜Ｄ）の各々に各ＳＴＢが受信したコンテンツ（コンテンツＡ〜Ｄ）がリアルタイムで表示されている（多画面表示モードである）とする。なお、本実施形態において、リアルタイム表示とは、各ＳＴＢが受信したコンテンツを受信したときに表示していることを示している。なお、以降の説明において、図４の画面ａのように、コンテンツが多画面表示され、各コンテンツがリアルタイム表示されている状態を多画面表示モードの初期状態と呼ぶ。
【００５７】
また、図４の画面ａのように、コンテンツＡ〜Ｄが表示されているとき、ＣＰＵ５３は、ＭＵＸ１に対しＳＴＢ１の映像信号を選択するよう指示し、ＭＵＸ２に対しＳＴＢ２の映像信号を選択するよう指示し、ＭＵＸ３に対しＳＴＢ３の映像信号を選択するよう指示し、ＭＵＸ４に対しＳＴＢ４の映像信号を選択するよう指示しているとする。つまり、メモリコントローラ３１は、コンテンツＡのフレームをメモリ４１に保存し、メモリコントローラ３２は、コンテンツＢのフレームをメモリ４２に保存し、メモリコントローラ３３は、コンテンツＣのフレームをメモリ４３に保存し、メモリコントローラ３４は、コンテンツＤのフレームをメモリ４４に保存するように制御されているとする。なお、上記ＣＰＵ５３の制御は一例であり、例えば、ＣＰＵ５３は、ＭＵＸ１に対してＳＴＢ２の映像信号を選択するように指示してもよい。つまり、メモリコントローラ３１は、コンテンツＢのフレームをメモリ４１に保存してもよい。
【００５８】
図２に示すように、ＣＰＵ５３は、ユーザによって選択されたコンテンツが１画面表示されているときに他のコンテンツを録画するか否かの設定（タイムシフト設定）がＯＮになっているか否かを確認する（ステップＳ２１。以下、単にＳ２１とする）。
【００５９】
タイムシフト設定がＯＦＦである場合（Ｓ２１にてＮＯ）、テレビ１は、以降の処理を実行しない。タイムシフト設定がＯＮである場合（Ｓ２１にてＹＥＳ）、ＣＰＵ５３は、ユーザによって、どのコンテンツを１画面表示する旨の指示を受信したかを判定する。ここで、上述したように、コンテンツＡを１画面表示するため、ＣＰＵ５３は、コンテンツＡが選択され、「１画面表示」ボタンが押下されたか否かを判定する（Ｓ２２）。
【００６０】
「１画面表示」ボタンが、押下されていない場合（Ｓ２２にてＮＯ）、テレビ１は、以降の処理を実行しない。「１画面表示」ボタンが押下された場合（Ｓ２２にてＹＥＳ）、ＣＰＵ５３は、コンテンツＡ以外のコンテンツ（コンテンツＢ〜Ｄ）の再生を停止する。そして、ＣＰＵ５３は、コンテンツＢ〜Ｄのそれぞれを、当該コンテンツの再生を停止した位置から録画するようメモリコントローラ３２〜３４に指示する。
【００６１】
ここで、コンテンツの位置とは、コンテンツの時間軸上の位置を示している。つまり、コンテンツの位置とは、コンテンツを構成する複数のフレームであって、時間経過に伴って変化するフレームのうち、表示装置１００に表示されたフレームの当該コンテンツ内の時間軸上の位置である。
【００６２】
メモリコントローラ３２は、メモリ４２にコンテンツＢを録画（記録）し始める。同様に、メモリコントローラ３３は、メモリ４３にコンテンツＣを録画し始め、メモリコントローラ３４は、メモリ４４にコンテンツＤを録画し始める（Ｓ２３）。
【００６３】
また、ＣＰＵ５３は、メモリコントローラ３１に対し、セレクタ２１からの映像信号を出力するよう指示する。このとき、メモリコントローラ３１は、セレクタ２１からの映像信号をメモリ４１にバッファリングし、当該バッファリングした映像信号を出力してもよい。その後、ＣＰＵ５３は、セレクタ２５に対し、メモリコントローラ３１から供給された映像信号を選択（設定）し、出力するよう指示する（Ｓ２４）。なお、Ｓ２４は、Ｓ２３より前に実行されてもよいし、Ｓ２３と同時に実行されてもよい。
【００６４】
その後、スケーラ５１は、セレクタ２５から供給された映像信号（コンテンツＡ）を、１画面分のサイズに拡大する（Ｓ２５）。そして、ＣＰＵ５３はセレクタ２６に対し、スケーラ５１から供給された映像信号を選択するよう指示し、セレクタ２６は、スケーラ５１から供給された映像信号を出力する（Ｓ２６）。
【００６５】
以上の処理によって、図４の画面ｂに示すように、図４の画面ａの右上段（表示領域Ａ）で再生されていたコンテンツＡが１画面表示され、再生される。これにより、図４の画面ｂおよび画面ｃに示すように、表示装置１００では、サッカー選手が表示されたフレームからマラソン選手が表示されたフレームへ変化するコンテンツＡが再生される。
【００６６】
図４の画面ｃに示すようにコンテンツが１画面表示されている状態（１画面表示モード）で、多画面表示モードに遷移した際のテレビ１における表示処理の流れを、図３を参照して説明する。図３は、１画面表示モードから多画面表示モードに遷移した際のテレビ１における表示処理の流れを示すフローチャートである。
【００６７】
なお、図３において、多画面表示する（多画面表示モードに復帰する）旨の指示は、リモコン等に備えられた「４画面表示」ボタンまたは「戻る」ボタンの押下によって、実現するとするが、本発明はこれに限定されない。例えば、表示装置１００のユーザメニューの設定（例えば、１画面表示と多画面表示とを自動的に切り換えるか否かを設定するための、１画面−多画面自動切換えＯＮ／ＯＦＦ設定）によって、一定時間ごとに１画面表示と多画面表示とを切り換えることにより実現してもよい。
【００６８】
コンテンツが１画面表示されているとき、ＣＰＵ５３は、ユーザによって、コンテンツを多画面表示する旨の指示を受信したかを判定する。具体的には、ＣＰＵ５３は、「４画面表示」ボタンが押下されたか否かを判定する（Ｓ３１）。
【００６９】
「４画面表示」ボタンが、押下されていない場合（Ｓ３１にてＮＯ）、テレビ１は、処理を実行せず、当該フローチャートを抜ける。「４画面表示」ボタンが押下された場合（Ｓ３１にてＹＥＳ）、ＣＰＵ５３は、１画面表示されていたコンテンツ（コンテンツＡ）以外のコンテンツ（コンテンツＢ〜Ｄ）を各メモリから取得するよう各メモリコントローラに指示する。メモリコントローラ３２は、コンテンツＢをメモリ４２から取得し（読み出し）出力する。同様に、メモリコントローラ３３は、コンテンツＣをメモリ４３から取得し出力する。また、メモリコントローラ３４は、コンテンツＤをメモリ４４から取得し出力する。このとき、コンテンツＢ〜Ｄは、多画面表示モードから１画面表示モードに遷移したときに録画され始めたため、各メモリコントローラが読み出す各コンテンツ（コンテンツＢ〜Ｄ）は、上記遷移した際に各コンテンツを停止した位置から読み出される。また、メモリコントローラ３１は、セレクタ２１からの（または、セレクタ２１からの映像信号をメモリ４１にバッファリングし、当該バッファリングした）コンテンツを継続して出力する（Ｓ３２）。
【００７０】
その後、ミキサ５２は、メモリコントローラ３１〜３４のそれぞれから供給された複数の映像信号の各々を、表示装置１００の予め定められた表示領域で再生するように合成した信号（映像信号）を生成し、セレクタ２６に供給する。そして、ＣＰＵ５３はセレクタ２６に対し、ミキサ５２から供給された映像信号を選択するよう指示し、セレクタ２６は、ミキサ５２から供給された映像信号を出力する（Ｓ３３）。
【００７１】
以上の処理によって、図４の画面ｄに示すように、コンテンツＡ〜Ｄが表示装置１００に多画面表示される。このうち、表示領域Ａでは画面ａと同様にコンテンツＡが再生される。画面ｄにおいて、表示領域Ａに表示されたコンテンツＡのフレームは、画面ｃにて表示されたフレームから継続したフレームである。また、表示領域Ｂに表示されたコンテンツＢは、メモリ４２に記録された時点から再生される。つまり、テレビ１は、コンテンツＡが１画面表示されたとき、コンテンツＢの再生を停止し、再度コンテンツＢが表示装置１００に表示されたとき（多画面表示されたとき）、コンテンツＢの再生を、コンテンツＢの再生を停止した位置から再開する。コンテンツＣおよびコンテンツＤについても同様である。
【００７２】
１画面表示モードにおいて、１画面表示されたコンテンツＡ以外のコンテンツ（コンテンツＢ〜Ｄ）は表示されない。そのため、１画面表示モードに遷移した後も、コンテンツＢ〜Ｄが再生され続けたとき、１画面表示モードの間、ユーザはコンテンツＢ〜Ｄを見ることができない。
【００７３】
しかし、本実施形態によれば、テレビ１は、多画面表示モードから１画面表示モードに遷移した際、コンテンツＢ〜Ｄの再生を停止する。その後、テレビ１は、１画面表示モードから多画面表示モードに復帰した際、コンテンツＢ〜Ｄを、当該コンテンツＢ〜Ｄの再生を停止した位置から夫々再生する。
【００７４】
これにより、ユーザは、コンテンツＢ〜Ｄに対し、１画面表示モードの間に再生されてしまう部分を、多画面表示モードに復帰した後に見ることができる。これにより、コンテンツの見逃しを防止することができるといった効果を奏する。
【００７５】
（メモリ４１〜４４の記録状態について）
上述したＳ２３において、１画面表示されていないコンテンツ（たとえば、コンテンツＢ〜Ｄ）は、各メモリに録画（記録）される。このとき、各メモリがＨＤＤ等の大容量メモリではない場合、各メモリに録画可能なフレームの数は制限される。ここで、１画面表示されるコンテンツ（例えば、コンテンツＡ）は、リアルタイム表示されるため、当該コンテンツをバッファリングするためのメモリ（例えば、メモリ４１）の容量は少なくてもよい。ここでは、当該コンテンツをバッファリングするためのメモリのうち、バッファリングのために使用する領域以外をその他のコンテンツを録画するための領域として使用する方法について、図５を参照して説明を行う。
【００７６】
図５は、コンテンツを録画した際の各メモリの状態を示す図であり、同図（ａ）は多画面表示モードの初期状態のときの各メモリの記録状態を示し、同図（ｂ）は、多画面表示モードから１画面表示モードに遷移した後の各メモリの記録状態を示している。
【００７７】
なお、多画面表示モードの初期状態（図４の画面ａ）のとき、ＣＰＵ５３は、ＭＵＸ１に対しＳＴＢ１の映像信号を選択するよう指示し、ＭＵＸ２に対しＳＴＢ２の映像信号を選択するよう指示し、ＭＵＸ３に対しＳＴＢ３の映像信号を選択するよう指示し、ＭＵＸ４に対しＳＴＢ４の映像信号を選択するよう指示しているとする。つまり、メモリコントローラ３１は、コンテンツＡのフレームをメモリ４１に保存し、メモリコントローラ３２は、コンテンツＢのフレームをメモリ４２に保存し、メモリコントローラ３３は、コンテンツＣのフレームをメモリ４３に保存し、メモリコントローラ３４は、コンテンツＤのフレームをメモリ４４に保存するように制御されているとする。
【００７８】
図５の（ａ）に示すように、メモリ４１には、ＳＴＢ１が受信したコンテンツＡのｎ個のフレーム（フレーム１〜ｎ）が記録されている。同様に、メモリ４２には、ＳＴＢ２が受信したコンテンツＢのｎ個のフレームが記録され、メモリ４３には、ＳＴＢ３が受信したコンテンツＣのｎ個のフレームが記録され、メモリ４４には、ＳＴＢ４が受信したコンテンツＤのｎ個のフレームが記録されている。なお、本実施形態において、メモリ４１〜４４の各容量は同じであることを例に説明を行うが、本発明はこれに限定されず、各メモリの容量は異なっていてもよい。なお、図５の（ａ）および（ｂ）においては、各コンテンツが記録されている領域を、各コンテンツを受信したＳＴＢ（ＳＴＢ１〜４）で表している。
【００７９】
次に、メモリ４１にコンテンツＡのバッファリングのために使用する領域以外をその他のコンテンツを録画するための領域として使用する方法について説明を行う。まず、ＣＰＵ５３は、メモリ４１においてコンテンツＡをバッファリングするために必要な領域を算出する。図５の（ｂ）においては、ＣＰＵ５３は、コンテンツＡのｍ個（ｍ＜ｎ）のフレームが記録可能な領域を算出し、確保している。次に、ＣＰＵ５３は、上記領域以外の領域を、コンテンツＢ〜Ｄのフレームを記録するための領域とする。図５の（ｂ）においては、コンテンツＢ〜Ｄのフレームを記録するための領域を均等に分割しているが、本発明はこれに限定されない。コンテンツＢ〜Ｄのフレームを記録するための領域は、コンテンツＢ〜Ｄのフレーム数、各メモリの容量等によって、適宜変更可能であるとする。
【００８０】
その後、ＣＰＵ５３は、上述したＳ２３において説明したとおり、コンテンツＡ以外のコンテンツ（コンテンツＢ〜Ｄ）を記録（録画）するようメモリコントローラ３２〜３４に指示する。このとき、ＣＰＵ５３は、セレクタ２１に対し、出力する映像信号を動的に切り替えて、出力するよう指示する。
【００８１】
ＣＰＵ５３がセレクタ２１に対し、例えば、ＳＴＢ２から供給された映像信号を出力するよう指示すると、セレクタ２１は、メモリコントローラ３１にコンテンツＢの映像信号を供給する。ここで、セレクタ２２は、メモリコントローラ３２にコンテンツＢの映像信号を供給している。そのため、ＣＰＵ５３は、メモリコントローラ３１に対し、メモリ４１のＳＴＢ２の領域にコンテンツＢのフレームを記録するよう指示し、メモリ４１への記録が終了した後、メモリコントローラ３２に対し、コンテンツＢのフレームを録画するよう指示する。
【００８２】
図５の（ｂ）においては、コンテンツＢのフレーム１〜ｋ（ｋ＜ｎ）がメモリ４１に記録され、コンテンツＢのフレームであって、メモリ４１に記録されたフレームのうち最後のフレーム（フレームｋ）に連続するフレーム（フレームｋ＋１）からフレームｋ＋ｎまでがメモリ４２に記録されている。このように、コンテンツＢのフレームをメモリ４１およびメモリ４２に記録するように、ＣＰＵ５３は、メモリコントローラ３１およびメモリコントローラ３２を制御する。コンテンツＣおよびコンテンツＤの記録についても同様である。
【００８３】
このときの動作についてより詳しく説明する。図９は、図１におけるテレビ１のセレクタ２１の構成を示すブロック図である。なお、以下では、セレクタ２１について説明を行うが、セレクタ２２〜２４についても同様の構成を有しているとする。なお、図９においては、メモリ４１にＳＴＢ１が受信したコンテンツＡとＳＴＢ２が受信したコンテンツＢとを記録する構成について説明を行うが、本発明はこれに限定されず、メモリ４１は上述したようにＳＴＢ３およびＳＴＢ４が受信したコンテンツＣおよびコンテンツＤを記録してもよい。また、図９においては、メモリ４１において各コンテンツが記録されている領域を、各コンテンツを受信したＳＴＢ（ＳＴＢ１または２）で表している。
【００８４】
図９に示すように、セレクタ２１は、セレクタ２１１（ＭＵＸ１１）とセレクタ２１２（ＭＵＸ１２）とを備えている。尚、セレクタ２１に含まれるセレクタの数はこれに限定されず、複数であってもよい。
【００８５】
各セレクタがそれぞれ対応するＳＴＢからのコンテンツを受信し、対応するメモリコントローラに受信したコンテンツを送信する場合（以下、（１）通常時と呼ぶ）、メモリコントローラ４１〜４４は、メモリ４１〜４４に、図５の（ａ）に示すように、コンテンツを記録する。図９においては、メモリ４１〜４４のうち、（１）通常時におけるメモリ４１の状態を示している。
【００８６】
このとき、セレクタ２１のセレクタ２１１（ＭＵＸ１１）およびセレクタ２１２（ＭＵＸ１２）はＣＰＵ５３の指示に従い、メモリコントローラ３１に対し、ＳＴＢ１が受信したコンテンツＡを供給している。
【００８７】
図１０は、セレクタ２１から出力されたコンテンツに対し、通常録画時と、ＳＴＢ２の録画時間を拡大して録画した時において、メモリ４１（ＦＭ１）が記録するコンテンツを示した図である。図９において、セレクタ２１１がメモリコントローラ３１にコンテンツを供給する経路を経路Ａとし、セレクタ２１２がメモリコントローラ３１にコンテンツを供給する経路を経路Ｂとすると、図１０に示すように、（１）通常時におけるメモリ４１には、経路ＡおよびＢから供給されたコンテンツ（ＳＴＢ１）が記録される。
【００８８】
次に、コンテンツＢのフレームをメモリ４１およびメモリ４２に記録する場合（以下、（２）ＳＴＢ２の録画時間の拡大時）について説明する。ＣＰＵ５３は、セレクタ２１のＭＵＸ１１に対し、ＳＴＢ１が受信したコンテンツＡを経路Ａにてメモリコントローラ３１に供給するよう指示する。また、ＣＰＵ５３は、セレクタ２１のＭＵＸ１２に対し、ＳＴＢ２が受信したコンテンツＢを経路Ｂにてメモリコントローラ３１に供給するよう指示する。
【００８９】
メモリコントローラ３１は、セレクタ２１のＭＵＸ１１からの（または、セレクタ２１のＭＵＸ１１からの映像信号をメモリ４１にバッファリングし、当該バッファリングした）コンテンツを継続して出力する。これにより、１画面表示されたコンテンツをユーザに提供することができる。また、メモリコントローラ３１は、ＣＰＵ５３からの指示に従い、図９の「（２）ＳＴＢ２の録画時間の拡大」に示したように、メモリ４１にコンテンツＢのフレームを記録する。これにより、図１０に示すように、（２）ＳＴＢ２の録画時間の拡大時におけるメモリ４１には、経路Ｂから供給されたコンテンツ（ＳＴＢ２）が記録される。このように、ＣＰＵ５３は、メモリ４１に対し、コンテンツが上記（１）または（２）のどちらの状態で記録されるかを切り換える。これにより、メモリの容量が少ない場合に、録画時間を拡張することができる。
【００９０】
その後、ＣＰＵ５３は、Ｓ３２において、１画面表示されていたコンテンツ（コンテンツＡ）以外のコンテンツ（コンテンツＢ〜Ｄ）を各メモリから取得し再生するよう各メモリコントローラに指示する。このとき、ＣＰＵ５３は、各コンテンツのうち、最初に記録されたフレームから順に読み出す。また、ＣＰＵ５３は、メモリコントローラ３１に対し、ＭＵＸ１１から出力されたコンテンツであって、１画面表示されていたコンテンツ（コンテンツＡ）を継続して出力するよう指示する。
【００９１】
これにより、最初に記録されたフレームは、多画面表示モードから１画面表示モードに遷移した際に、各コンテンツの再生を停止した位置のフレームであるため、テレビ１は、各コンテンツの再生を停止した位置から再開させることができる。上記の例では、メモリ４１から各コンテンツのフレームを記録しているため、ＣＰＵ５３は、メモリコントローラ３１に対し、メモリ４１に記録されているコンテンツＢ〜Ｄのそれぞれのフレームを最初に記録されたフレームから順に読み出すよう指示する。
【００９２】
メモリコントローラ３１は、読み出したフレームを順にミキサ５２に出力する。メモリコントローラ３１が各コンテンツのフレームの読み出しを完了すると、ＣＰＵ５３は、当該コンテンツの次のフレーム（最後に読み出されたフレームと連続するフレーム）が保存されているメモリから当該コンテンツのフレームを読み出すよう制御する。例えば、メモリコントローラ３１がメモリ４１に記録されているコンテンツＢの複数のフレームを全て読み出すと、ＣＰＵ５３は、メモリ４１に記録されていた複数のフレームのうち最後に記録されたフレームに連続するフレームを記録しているメモリ４２から、コンテンツＢのフレームを読み出すようメモリコントローラ３２に指示する。ミキサ５２は、このようにして各メモリから読み出されたフレームを含む映像信号を元に、表示装置１００で表示する映像信号を生成する。
【００９３】
このように、テレビ１には、メモリ４１〜４４がコンテンツＡ〜Ｄに対して夫々備えられており、多画面表示モードから１画面表示モードに遷移した際、１画面表示モードにおいて表示されるコンテンツがコンテンツＡであるとする。このとき、ＣＰＵ５３は、コンテンツＡに対応するメモリ４１に、コンテンツＢ〜Ｄを構成する複数のフレームを記録するように制御する。
【００９４】
上記構成によれば、コンテンツＢ〜Ｄは、対応するメモリとメモリ４１とに記録される。よって、テレビ１は、コンテンツＢ〜Ｄを記録する領域を動的に確保することができる。
【００９５】
なお、例えば、メモリ４１の領域のうち、メモリコントローラ３１が図５の（ｂ）に示す、ＳＴＢ２の領域に記録されたフレームを全て読み出したとき、ＣＰＵ５３は、当該ＳＴＢ２の領域を、再びＳＴＢ１の領域とする。これにより、図５の（ａ）に示すような状態に戻ることができる。
【００９６】
なお、各コンテンツをどのメモリに録画するかについては、上述の方法に限定されず、例えば、コンテンツＢを録画する場合、メモリ４２に録画した後に、メモリ４１に録画してもよいし、フレームごとに交互に録画してもよい。
【００９７】
（多画面表示モードの際のコンテンツの表示例について）
次に、図６および図７を参照して、多画面表示モードの際のコンテンツの表示例について説明する。図４の画面ｄでは、１画面表示されたコンテンツ（コンテンツＡ）以外のコンテンツ（コンテンツＢ〜Ｄ）の再生は、各コンテンツの再生が停止された位置から再開されることについて説明した。このとき図４の画面ｄでは、各表示領域のコンテンツが停止された位置から再開されたコンテンツか、または、停止されることなく再生されているコンテンツかについて区別できない。以下では、各表示領域のコンテンツが、多画面表示モードから１画面表示モードへ遷移した際に停止されたコンテンツ（タイムシフトされたコンテンツ）であることを示す情報（タイムシフト情報）を、各コンテンツに表示する例について説明を行う。
【００９８】
図６は、テレビ１に表示されたコンテンツのフレームの遷移の他の例を示す図である。また、図７は、図６の画面ｄの各表示領域を拡大した図であって、同図（ａ）は、表示領域Ｂを示し、同図（ｂ）は、表示領域Ｃを示し、同図（ｃ）は、表示領域Ｄを示している。なお、図６の画面ａ〜画面ｃは、図４の画面ａ〜画面ｃと同じ画面であるため説明を省略する。
【００９９】
（タイムシフト情報の例１）
図６の画面ｄおよび図７の（ａ）に示すように、１画面表示モードから多画面表示モードに復帰したとき、表示領域Ｂには、コンテンツＢが多画面表示モードから１画面表示モードに遷移したときに停止された位置から再生されている。また、表示領域Ｂ内には、現在再生されているコンテンツのフレームが、現時点からどのくらい遅れているか（リアルタイム表示されたときのフレームの位置からどのくらい前のフレームか）を示すプログレスバー（タイムシフト情報）７１が表示されている。プログレスバー７１の左端は、コンテンツＢが停止された位置（録画を開始した位置）を示し、プログレスバー７１の上部に表示されている下向き三角は、現在の位置（リアルタイム表示したときのコンテンツの位置）を示している。また、プログレスバー７１の色は、再生された分だけ、録画を開始した位置から右方向に向かって変化する。ＣＰＵ５３は、録画を開始した位置、どれだけ録画を開始した位置から再生されたか等を示す情報を、ミキサ５２に供給し、ミキサ５２は、供給された情報に基づいて、図７の（ａ）に示すように、表示領域Ｂにプログレスバー７１が付与されたコンテンツＢを表示する映像信号を生成する。
【０１００】
なお、図７の（ａ）に示すように、タイムシフトしたコンテンツを再生していることをより明確にするためのメッセージ（図７の（ａ）においては、「再生時」）を表示してもよい。
【０１０１】
また、表示領域Ｂにて再生されているコンテンツＢが、リアルタイム表示されている状態に追いつくために、テレビ１は、コンテンツごとに、再生スピードを変化させる（例えば、１．２倍など）設定を、テレビ１のメニュー画面などで行わせるように構成されていてもよい。このときＣＰＵ５３は、再生スピードを設定し、設定した再生スピードで、各コンテンツを再生する。
【０１０２】
このように再生スピードが設定され、通常再生よりも高速に設定された再生スピードで再生されたコンテンツＢが、リアルタイム表示されている状態に追いついたとき、つまり、設定された再生スピードで再生されたコンテンツの位置（再生位置）が、コンテンツＢが遷移の際に停止しなかった場合における現時点での再生位置（リアルタイム表示された時のコンテンツの位置）と同じ位置になったとき、テレビ１は、表示領域Ｂにて再生されているコンテンツＢのフレームを、メモリコントローラ３２がセレクタ２２から供給されたフレーム（映像信号）に切り替えて表示することができる。つまり、コンテンツＢを遷移の際に停止しなかった場合の状態（リアルタイム表示された状態）で再生することができる。
【０１０３】
また、ユーザ等の指示によって、リモコン等に設けられているリアルタイム表示に戻ることを指示するボタンが押下されたとき、つまり、リアルタイム表示する旨の指示を受け付けたとき、テレビ１は、表示領域Ｂにて再生されているコンテンツＢをリアルタイム表示に切り替えて表示することができる。つまり、コンテンツＢを遷移の際に停止しなかった場合の状態（リアルタイム表示された状態）で再生することができる。
【０１０４】
また、リモコン等に設けられている早送りボタン等が押下されることによって、テレビ１は、当該コンテンツを早見再生し、プログレスバーの下向き三角の位置（現在の位置）と早見再生したコンテンツの位置とが一致したとき、テレビ１は、コンテンツＢを遷移の際に停止しなかった場合の状態（リアルタイム表示された状態）で再生することができる。
【０１０５】
（タイムシフト情報の例２）
図６の画面ｄおよび図７の（ｂ）に示すように、１画面表示モードから多画面表示モードに復帰したとき、表示領域Ｃには、コンテンツＣが多画面表示モードから１画面表示モードに遷移したときに停止された位置から再生されている。また、表示領域Ｃ内には、現在再生されているコンテンツのフレームが、現時点から何分前のコンテンツのフレームか（リアルタイム表示されたときのフレームの位置からどのくらい前のフレームか）を示す時間情報（タイムシフト情報）７２が表示されている。なお、図７の（ｂ）において、時間情報７２は、２分前を示しているが、時間情報７２は、これに限定されず、例えば、何分何秒までを示してもよい。ＣＰＵ５３は、現在再生されているコンテンツのフレームが、現時点から何分前のコンテンツのフレームかを示す情報（時間情報）を、ミキサ５２に供給し、ミキサ５２は、供給された情報に基づいて、図７の（ｂ）に示すように、表示領域Ｃに時間情報７２が付与されたコンテンツＣを表示する映像信号を生成する。
【０１０６】
また、時間情報７２は、ユーザ等の指示によって、書き換えることが可能に構成されている。ユーザ等の指示によって、時間情報７２の時間が「０」に書き換えられたことを検知する、つまり、リアルタイム表示する旨の指示を受け付けると、テレビ１は、表示領域Ｃにて再生されているコンテンツＣをリアルタイム表示に切り替えて表示することができる。つまり、コンテンツＣを遷移の際に停止しなかった場合の状態（リアルタイム表示された状態）で再生することができる。また、上述したように、表示領域Ｃにおいても再生スピードを変化させるように設定することができる。
【０１０７】
（タイムシフト情報の例３）
図６の画面ｄおよび図７の（ｃ）に示すように、１画面表示モードから多画面表示モードに復帰したとき、表示領域Ｄには、コンテンツＤが多画面表示モードから１画面表示モードに遷移したときに停止された位置から再生されている。また、表示領域Ｄ内には、コンテンツＤが遷移の際に停止しなかった場合に、現時点で表示される画面（リアルタイム表示されたときの画面）を表示するリアルタイム画面７３が表示されている。なお、図７の（ｃ）において、リアルタイム画面７３は、非表示領域Ｄの左下に表示されているが、リアルタイム画面７３の表示位置はこれに限定されない。リアルタイム画面７３の位置および大きさは、任意である。ＣＰＵ５３は、各メモリコントローラに対し、録画したコンテンツと共に、各ＳＴＢが受信しているコンテンツをミキサ５２に供給するよう指示し、ミキサ５２は、供給された情報に基づいて、図７の（ｃ）に示すように、表示領域Ｄにリアルタイム画面７３が付与されたコンテンツＤを表示する映像信号を生成する。
【０１０８】
また、ユーザ等の指示によって、当該リアルタイム画面７３が選択されたとき、つまり、リアルタイム表示する旨の指示を受け付けたとき、テレビ１は、表示領域Ｄにて再生されているコンテンツＤをリアルタイム表示に切り替えて表示することができる。つまり、コンテンツＤを遷移の際に停止しなかった場合の状態（リアルタイム表示された状態）で再生することができる。また、上述したように、表示領域Ｄにおいても再生スピードを変化させるように設定することができる。
【０１０９】
なお、上述したタイムシフト情報の例は、どれか１つを採用して表示装置１００に表示してもよいし、図６の画面ｄに示すように、組み合わせて表示してもよい。
【０１１０】
（変形例）
上述したテレビ１は、ＳＴＢが受信したコンテンツを再生する場合を例に説明を行ったが、再生するコンテンツはＨＤＤ等の記録媒体に記録されたコンテンツであってもよい。
【０１１１】
本例において、リアルタイム表示とは各ＨＤＤが再生を開始してから、停止されずに再生されたフレームを表示装置１００に表示していることを示す。
【０１１２】
上記構成の場合、多画面表示モードから１画面表示モードに遷移すると、各メモリは、１画面表示されたコンテンツ以外のコンテンツの再生を停止する。そして、ＣＰＵ５３は、１画面表示モードの間、再生を停止したコンテンツを、入力しないようセレクタ２１〜２４に指示する。その後、１画面表示モードから多画面表示モードへ復帰すると、セレクタ２１〜２４は、再生を停止したコンテンツを読み出す。これにより、テレビ１は、遷移した際に１画面表示したコンテンツをリアルタイム表示し、遷移の際に停止したコンテンツを、当該コンテンツの再生を停止した位置から再生することができる。
【０１１３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１１４】
（ソフトウェアによる実現例について）
最後に、テレビ１の各ブロックは、集積回路（ＩＣチップ）上に形成された論理回路によってハードウェア的に実現してもよいし、ＣＰＵ（Central Processing Unit）を用いてソフトウェア的に実現してもよい。
【０１１５】
後者の場合、テレビ１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるテレビ１の制御プログラムのプログラムコード（実行形式プログラム、中間コードプログラム、ソースプログラム）をコンピュータで読み取り可能に記録した記録媒体を、テレビ１に供給し、そのコンピュータ（またはＣＰＵやＭＰＵ）が記録媒体に記録されているプログラムコードを読み出し実行することによっても、達成可能である。
【０１１６】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０１１７】
また、テレビ１を通信ネットワークと接続可能に構成し、上記プログラムコードを、通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１１８】
本発明は、多画面表示モードでコンテンツを再生するコンテンツ再生装置に利用することができる。
【符号の説明】
【０１１９】
１  テレビ（テレビジョン受像機、記録再生装置）
１１〜１４  セットトップボックス
２１〜２４  セレクタ
２５  セレクタ
２６  セレクタ
３１〜３４  メモリコントローラ（記録制御手段）
４１〜４４  メモリ（記録媒体）
５１  スケーラ
５２  ミキサ（情報付与手段）
５３  ＣＰＵ（コンテンツ再生手段、情報付与手段、設定手段）
７１  プログレスバー（タイムシフト情報）
７２  時間情報（タイムシフト情報）
７３  リアルタイム画面（タイムシフト情報）
１００  表示装置
【図１】
0005947604.tif 000002
【図２】
0005947604.tif 000003
【図３】
0005947604.tif 000004
【図４】
0005947604.tif 000005
【図５】
0005947604.tif 000006
【図６】
0005947604.tif 000007
【図７】
0005947604.tif 000008
【図８】
0005947604.tif 000009
【図９】
0005947604.tif 000010
【図１０】
0005947604.tif 000011